(57)【要約】【解決する課題】曲面を有する部材、棒状の部材あるいは柔軟性を有する部材に転写印刷する熱転着用装置、及び該熱転着用装置を用いて、表面に絵を転着印刷した木炭、竹炭、備長炭、木、、竹、石及び陶器などの部材を提供する。【課題を解決する手段】曲面を有する部材、棒状の部材や柔軟性のある部材に印刷物を転着するための熱転着用装置１００は、熱転着用装置１００のヒーター部分１４と、このヒーター部分１４上に熱伝導性の基板１３を設けた転着台１０を載置し、前記熱伝導性の基板１３の片面が凹面１１形状をしていることを特徴とする熱転着用装置１００である。【選択図】図２
2005178897.tif 000002
【特許請求の範囲】
【請求項１】
曲面を有する部材、棒状の部材、柔軟性のある部材に印刷物を転着するための熱転着用装置であって、該熱転着用装置にヒーター部分の上に熱伝導性の基板を設けた転着台を載置し、前記熱伝導性の基板の片面が凹面形状をしていることを特徴とする熱転着用装置。
【請求項２】
熱伝導性基板の凹面に耐熱性の弾性部材を敷設したことを特徴とする請求項１に記載の熱転着用装置。
【請求項３】
曲面を有する部材が竹炭、木炭、備長炭等の炭であることを特徴とする請求項１又は請求項２のいずれかに記載の熱転着用装置を用いて装飾を施された竹炭、木炭、備長炭等の炭。
【請求項４】
棒状の部材が木炭、備長炭等の炭であることを特徴とする請求項１又は請求項２のいずれかに記載の熱転着用装置を用いて装飾を施された木炭、備長炭等の炭。
【請求項５】
曲面を有する部材が石、木、竹、陶器等であることを特徴とする請求項１又は請求項２のいずれかに記載の熱転着用装置を用いて装飾を施された石、木、竹、陶器。
【請求項６】
棒状の部材が石、木、竹、陶器等であることを特徴とする請求項１又は請求項２のいずれかに記載の熱転着用装置を用いて装飾を施された石、木、竹、陶器。
【請求項７】
柔軟性を有する部材がスリッパ、靴等であることを特徴とする請求項１又は請求項２のいずれかに記載の熱転着用装置を用いて装飾を施されたスリッパ、靴。
【発明の詳細な説明】
【技術分野】
【０００１】
本発明は、曲面を有する部材、棒状の部材や柔軟性のある部材に転着印刷するための熱転着用装置、及び該熱転着用装置を用いて、表面に絵を転着印刷した木炭、竹炭、備長炭、木、石および陶器等の部材に関する。
【背景技術】
【０００２】
木炭、竹炭や備長炭等の炭はマイナスイオンを放出し、空気の浄化を促し、気分を癒す効果が有ると云われている。さらに、吸湿効果、脱臭効果を有し、各方面で利用が開発されている。例えば、備長炭については、特許文献１の請求項１において、「棒状の備長炭の一端に持ち手用の滑り止めを有するマドラーであって、容器内の水などをかき回すことにより、炭の吸着効果によるうがい物質の吸着および、炭のミネラル及びマイナスイオンを容器内の水や液体に付加し、炭のもつクラスター分解の効果により水を軟水に変え口当たりを柔らかくする機能を有することを特徴とする備長炭を素材としたマドラー」が開示されている。また、竹炭については、特許文献２の第２頁左欄１０行目には、「竹炭は消臭効果が有ると広く知られて居ますが炭の表面の凹凸を研磨加工する事で表面がなめらかに成り絵や文字の印刷・手書き・蒔き絵、ドライフラワー・押し花の接着加工が容易に出来るようになり、消臭効果に民芸品的な趣を持たせる物で有ります。」が開示されている。
【０００３】
備長炭はウバメガシ（姥目樫）を原料として作られることから、細い炭のくずが出てくる。このような細い炭のくずを利用するために特許文献１のようにマドラーが、さらにスプーン等に利用することが計られている。また、竹炭についてもその脱臭効果を期待してレストランやトイレ用の壁掛けとしての利用が考えられている。このように利用するに当たっては、炭のみでは単調であり、絵を描いたり、印刷したりして装飾性を高める事が望ましいが、炭は太さも異なり、亀裂の状態も異なっており、それぞれ独特の形状を有しており、その形状を生かしつつ絵を印刷することは非常に難しい。竹炭に絵を描くことを開示している特許文献２に置いては、上述のような形状の異なる竹炭にどのようにして絵を印刷するのか具体的な方法が開示されていない。
【０００４】
炭のように細孔と亀裂を有し、太さも不均一な形状をした部材への印刷は転写シートを用いた熱転写印刷が望ましい。転写シートとは剥離シート上に絵柄層、接着層などの転写層を設けた層構成のものであり、この転写シートを印刷しようとする炭等の部材にアイロンで熱転写するものである。通常使用される転写シートは、各種図案を印刷したシートを使用して、ヒートプレスという大きなアイロンとプレスが合体したようなもので転着される。ここでかける熱と圧力は均等に制御できるものであり、転写シートも転着しようとする部材への定着性も良く、耐久性のあるものでなければならない。従来、記録部材に転着する方式は、特許文献３に示すような熱ローラー方式の定着装置が用いられてきた。このような熱ローラー方式では曲面を有する部材、棒状の部材に転着することは難しかった。特に、炭や石等のように、個々に形状の異なる部材に転着印刷するためには、形状の異なる部材それぞれに掛ける熱と圧力が異なり、通常使用されるような熱ローラー方式やアイロンとヒートプレスによる方法は使用することが出来ない。このような形状の異なる部材に簡単に印刷ができる装置の出現が望まれていた。
【特許文献１】特開２００２−８５２３５号公報
【特許文献２】特開２００３−１９９９号公報
【特許文献３】特開平１１−１９４８３７号公報
【発明の開示】
【発明が解決しようとする課題】
【０００５】
本発明は、曲面を有する部材、棒状の部材や柔軟性のある部材に転着印刷する熱転着用装置と該熱転着用装置を用いて絵の装飾を施した曲面を有する部材、太さの異なる部材、例えば、絵の装飾を施した竹炭、木炭、備長炭等のくず炭、あるいは石、木、竹、陶器等を提供する。
【課題を解決するための手段】
【０００６】
上記課題を解決するために鋭意研究を重ねた結果、曲面を有する部材や棒状の部材に絵を熱転着印刷する装置と曲面を有する部材、棒状の部材、例えば、竹炭や太さの異なる木炭、備長炭等の他、石、木、竹、陶器等に簡単に絵などの装飾を施す方法を確立した。
【０００７】
本発明の第１の特徴は、曲面を有する部材、棒状の部材、柔軟性を有する部材に印刷物を転着するための熱転着用装置であって、該熱転着用装置にヒーター部分の上に熱伝導性の基板を設けた転着台を載置し、前記熱伝導性の基板の片面が凹面形状をしていることを特徴とする熱転着用装置である。熱転着用装置にヒーター部分の上に設けた熱伝導性の基板を有する転着台を載置した。ここで、熱伝導性の基板の表面を凹面とすることによって、曲面の部材にも棒状の部材にも対応することが出来る。
【０００８】
本発明の第２の特徴は、熱伝導性基板の凹面に耐熱性の弾性部材を敷設したことを特徴とする請求項１に記載の熱転着用装置である。ヒーター部分の上に熱伝導性の基板の凹面に耐熱性の弾性部材を敷設することによって、大きさの異なる曲面を有する部材や太さの異なる棒状の部材を押圧する時の破損を防ぐと共に、転写シートを部材に密着させることが出来る。
【０００９】
本発明の第３の特徴は、曲面を有する部材が竹炭、木炭、備長炭等の炭であることを特徴とする請求項１又は請求項２のいずれかに記載の熱転着用装置を用いて装飾を施された竹炭である。脱臭効果を有する竹炭、木炭、備長炭等の炭に印刷を施すことによって、装飾性のある脱臭効果を目的とした壁掛けとして用いることが出来る。
【００１０】
本発明の第４の特徴は、棒状の部材が木炭、備長炭等の炭であることを特徴とする請求項１又は請求項２のいずれかに記載の熱転着用装置を用いて装飾を施された木炭、備長炭等の炭である。太さの異なる炭に装飾を施せることから、絵柄を施した木炭、備長炭等の炭を供給することが出来る。絵柄を施した木炭、備長炭等は、そのまま装飾した炭として使用しても良く、さらに、細いくず炭は先端に細工を施してマドラー、スプーンやフォークとして使用することが出来る。
【００１１】
本発明の第５の特徴は、曲面を有する部材が石、木、竹、陶器等であることを特徴とする請求項１又は請求項２のいずれかに記載の熱転着用装置を用いて装飾を施された石、木、陶器である。曲面を有する石、木、竹、陶器等に様々な絵を転着して装飾品、日常品として提供することができる。
【００１２】
本発明の第６の特徴は、棒状の部材が石、木、竹、陶器等であることを特徴とする請求項１又は請求項２のいずれかに記載の熱転着用装置を用いて装飾を施された石、木、陶器である。棒状の石、木、竹、陶器等に様々な絵を転着して装飾品、日常品として提供することができる。
【００１３】
本発明の第７の特徴は、柔軟性を有する部材がスリッパ、靴等であることを特徴とする請求項１又は請求項２のいずれかに記載の熱転着用装置を用いて装飾を施されたスリッパ、靴である。合成樹脂製のスリッパ、靴、特に幼児用の靴に可愛い絵柄を簡単に印刷して提供することが出来る。
【発明の効果】
【００１４】
本発明のヒーター上に設けた熱伝導性の基板の表面を凹面とすることによって、曲面の部材にも棒状の部材にも対応することが出来る熱転着用装置が得られた。ヒーター上に熱伝導性の基板の凹面に耐熱性合成ゴムスポンジを敷設することによって、大きさの異なる曲面を有する部材や太さの異なる棒状の部材にも対応することが出来る熱転着用装置を提供することが出来る。
【００１５】
竹炭、木炭や備長炭等の炭はマイナスイオンを放出し、空気の浄化を促し、気分を癒す効果と脱臭効果を有する炭に印刷を施すことによって、各種の効果を有する装飾性のある壁掛けとして用いることが出来る。さらに、本発明の熱転着用装置を用いることによって、太さの異なるくず炭にも装飾を施せることから、絵柄を施したくず炭を各種の用途に提供することが出来る。絵柄を施した炭は、そのまま装飾した炭として使用しても良く、さらに、細いくず炭は絵柄を施した上に、先端に細工を施してマドラー、スプーンやフォークとして使用することも出来る。さらに、石、木、陶器等に様々な絵を転着して装飾品、日常品として提供することができる。
【発明を実施するための最良の形態】
【００１６】
以下に図面を用いて本発明を詳細に説明するが、本発明は要旨に含まれる範囲内において以下の実施例に限定されるものではない。
【００１７】
図１はヒーター部分１４上に熱伝導性の基板１３を設け、該熱伝導性の基板１３が凹面１１を有していることを特徴とする転着台１０であり、曲面を有する部材や、棒状の部材に印刷物を転着することができる本発明の熱転着用装置１００に載置する転着台１０である。転着台１０上の熱伝導性の基板１３の凹面１１上には、耐熱性の弾性部材として合成ゴムスポンジ１２を敷設した。本発明の熱転着用装置１００に載置する転着台１０は、曲面を有する部材や、棒状の部材を載置して転写シートから絵柄を転着できるもので有れば良く、特にその大きさは限定されるものではない。本発明においては、ヒーター部分１４上の熱伝導性の基板１３は、長さ（ａ）１０ｃｍ、横幅（ｂ）４．５ｃｍ、高さ（ｃ）１．５ｃｍ、凹面１１の最深の底部は高さ（ｄ）０．５ｃｍとした。転着台１０で使用するヒーター部分１４は熱伝導性の基板１３を充分に加熱することが出来る大きさのヒーターであれば良く、ヒーターの大きさは特に限定されるものではない。また、ヒーター部分１４には温度を調節する温度調節部を取付ることによって、取り扱いと安全性が向上する。ヒーター１４部分の大きさは熱伝導性の基板を載置出来る大きさで有れば良く、その大きさは特に限定されない。ヒーター部分１４の下の支持部１５は熱転着装置等に固定するための支持部１５である。熱伝導性の基板にはアルミ板を使用したがアルミ板に限定されることなく、熱伝導性のもので有ればステンレス等、その他の金属でもよい。ここで使用した熱伝導性の基板１３は転着する部材の大きさに応じて交換できるように取り外し可能としたが、ヒーター部分１４に固定したものであっても良い。
【００１８】
凹面１１上に曲面を有する部材や、棒状の部材などの絵を転着する部材と絵の描かれた転写シートを設置して、押圧板で押圧する。押圧する強さは、絵を転着する部材によって加減をしながら押圧板１７で押圧する。特に押圧板１７の押圧部１６には耐熱性部材１２、例えば合成ゴムスポンジ等を貼着しておくことが望ましい。耐熱性部材１２は図２に示すように筒状のものを貼着すると種々の大きさの部材に対応することが出来る。
【００１９】
上記した耐熱性の弾性部材には、合成ゴムスポンジと云われるシリコンゴムスポンジ、エチレンプロピレンゴムスポンジ等を例示することができる。弾性部材は被転着物に基板が密着するように熱伝導性の基板の凹面上に敷設するものである。弾性部材である合成ゴムスポンジの種類は使用温度によって異なり、適宜変更することが出来る。さらに、合成ゴムスポンジの厚さも被転着物の形状によって、適宜変更できる。例えば、曲面を有する被転写体の場合は薄い物を、棒状の被転写体によっては厚目のスポンジを敷設して、転写シートと転着面が密着するようにする。
【００２０】
竹炭、木炭、備長炭などの印刷用素材は表面が粗く、亀裂を含む物も多い。これらの部材はその形状を生かして、印刷面を均等に押圧して、美麗に転着するために、熱伝導性の基板上に耐熱性のある合成ゴムスポンジを敷設する。
【００２１】
図２は前記転着台１０の温度調節２０、転着時間調節用のスイッチ１９等を取着した電源を有する装置上に凹面１１を有する転着台１０を取り付けた熱転着用装置１００である。熱転着用装置１００は、転着台１０を載置したもので、転着台１０を暖める電源を接続できるものであり、転着台１０上の凹面１１に転写シートをおいた上に炭等の部材を置いて、把持部１８を握って押さえていくと、押圧板１７が下がり、押圧部１６が炭等の部材を押さえ込んで、転写シートが熱で暖められて、絵が炭等の部材に転着する。ここで使用した熱源は１００Ｖで、温度は２５０度位にまで上昇し、約１５秒間位かけた。転写シートに掛ける温度と時間は転写シートの大きさ、厚さによって異なり、それぞれに適した温度と時間を掛けるようにした。炭等の部材の切断面に絵を転着する場合は、凹面を有する熱伝導性の基板１３の凹面１１を平面の基板に換えることによって、平坦な炭等の部材の平面にも絵を転着することが出来る。
【００２２】
図３は曲面を有する部材として、例えば竹炭２００に熱転着用装置１００を用いて装飾用に転着した絵２１を施した竹炭２００を例示する。本発明で使用した竹炭２００は横幅が４ｃｍ、長さ１５ｃｍのものを使用して図２に示す熱転着用装置１００を用いて転写シートの絵を竹炭の表面に転着して、上部に壁に掛けるために紐通し用の孔２２を２箇所穿設した。微細孔の多い竹炭は脱臭効果も高く、トイレ、手洗いの蛇口の下や、厨房の壁に掛けてそれぞれの部屋の装飾と共に脱臭効果が期待できる。
【００２３】
図４は木炭、備長炭３００等の細い炭に絵３１を転着し、下部に切り込み３２を入れてマドラーを例示したものである。また、上部に孔３３を穿設してチェーンや紐を通しても良い。ここで使用した細い炭は径が約１．０ｃｍ、長さが約１７ｃｍの細い炭を用いた。炭質の固い備長炭はマドラーに用いても丈夫で使い易い。さらに、備長炭は使用中にもマイナスイオンを放出し、空気の浄化作用が期待できる。
【００２４】
図５は木炭、備長炭３００等の上側に絵３１を転着し、先端部に凹部３４を設けてスプーン形状にした棒状の木炭、又は備長炭である、
図６は木炭、備長炭３００等の上側に絵３１を転着し、先端部に切り欠き３４を設けてフォーク形状にした棒状の木炭、又は備長炭である。
【００２５】
図７は石４００の表面を研磨して、上側に絵３１を転着した文鎮４１を例示する。石に絵を転着する場合は、表面が滑らかな石を用いるか、絵が転着しやすいように表面を研磨することが望ましい。
【００２６】
図８は、絵を転着した木５００としては、木で作った箸４２の上側に絵３１を転着したものを例示する。絵を転着した後に、耐水性を持たせるために、塗料を塗布しても良い。また、細い竹などにも絵を転着して箸、その他装飾品として使用することが出来る。
【００２７】
図９は絵を転着した陶器６００の例として、絵３１を転着した箸置き４３を例示する。
また、曲面を有する竹に絵を転着して箸置き、竹筒に絵を転着して装飾品として使用することもできる。さらに、植物の皮、例えば竹の皮、杉の木の皮等に絵や文字を転着して装飾用に使用することが出来る。この他、合板などの集成材に細工を施して、その表面に絵や文字を転着することもできる。
【００２８】
図１０は絵を転着した陶器６００の例として、一輪挿し４４の上側に絵３１を転着したものを例示する。陶器の場合は素焼きでも絵や文字を転着することが出来る。
【００２９】
上記のように絵を転着した部材の絵の上から水に濡れても剥がれにくいように、耐水性のシールを貼付してもよい。又は絵を印刷した耐水性シールを貼付してもよい。このように絵を転着する場合に、転着した絵の細部を仕上げるために手持ちタイプのコテやアイロンを使用しても良い。木炭、備長炭等の炭に転着する場合、炭の棒状の曲面のみならず、炭を切断した切断面に絵を転着しても良い。さらに、本発明の装置を使用すれば木炭等を加工した球形の炭などにも絵や文字を転着する事が可能である。
【００３０】
図１１は柔軟性のある部材の一例として、合成樹脂製のスリッパ７００の表面に絵３１を転着した例を示す。スリッパ４５の甲４６に当たる部分にホテルや旅館で特徴のある独自の絵柄３１やホテルの名前を印刷することができる。
【００３１】
柔軟性のある部材として、スリッパの他、例えば、幼児用の靴などに可愛い絵柄や漫画のキャラクター等と共に、使用する幼児の氏名、愛称を印刷することも出来る。スリッパや靴等の柔軟性のある部材に絵を転着する場合は、絵に凹凸が生じないように、絵を転着する箇所の下側に硬質のものを当接させて、本願発明の装置を用いて、絵を転着する。
【００３２】
以上のように、本願発明の装置を用いることによって、転着する部材のそれぞれの大きさに応じて、所望の箇所に所望の絵や文字を簡単に転着することができる。
【図面の簡単な説明】
【００３３】
【図１】熱転着用装置の転着台部分の斜視図を示す。
【図２】熱転着用装置の斜視図を示す。
【図３】竹炭に絵を転着した斜視図を示す。
【図４】マドラー形状とした備長炭に絵を転着した斜視図を示す。
【図５】スプーン形状とした備長炭に絵を転着した斜視図を示す。
【図６】フォーク形状とした備長炭に絵を転着した斜視図を示す。
【図７】石で作った文鎮の表面に絵を転着した斜視図を示す。
【図８】木で作った箸に絵を転着した斜視図を示す。
【図９】陶器で作った箸置きに絵を転着した斜視図を示す。
【図１０】陶器で作った一輪挿しに絵を転着した斜視図を示す。
【図１１】スリッパに絵柄を転着した斜視図を示す。
【符号の説明】
【００３４】
１００：熱転着用装置
２００：絵を転着した竹炭
３００：絵を転着した備長炭
４００：絵を転着した石
５００：絵を転着した木
６００：絵を転着した陶器
７００：絵を転着したスリッパ
１０：転着台
１１：凹面
１２：耐熱性部材
１３：熱伝導性の基板
１４：ヒーター部分
１５：支持部
１６：押圧部
１７：押圧板
１８：把持部
１９：スイッチ
２０：温度調節
２１：転着した絵
２２：紐通し用の孔
３１：転着した絵
３２：切り込み
３３：孔
３４：凹部
３５：切り欠き
４１：文鎮
４２：箸
４３：箸置き
４４：一輪挿し
４５：スリッパ
４６：スリッパの甲
【図１】
2005178897.tif 000003
【図２】
2005178897.tif 000004
【図３】
2005178897.tif 000005
【図４】
2005178897.tif 000006
【図５】
2005178897.tif 000007
【図６】
2005178897.tif 000008
【図７】
2005178897.tif 000009
【図８】
2005178897.tif 000010
【図９】
2005178897.tif 000011
【図１０】
2005178897.tif 000012
【図１１】
2005178897.tif 000013